(57)【要約】本開示は、撮影パラメータ設定方法、撮影パラメータ設定装置、プログラム及び記録媒体を開示し、端末技術領域に属する。前記撮影パラメータ設定方法は、現在設定の撮影モードに基づいて、色温度調整可能なフラッシュ素子を含むスレーブ装置に対して設定する、少なくとも出力色温度及び出力時間を含む撮影パラメータを取得するステップと、前記スレーブ装置と予め確立された無線データリンクを介して、前記撮影パラメータを前記スレーブ装置に送信することで、前記スレーブ装置が前記撮影パラメータに基づいて前記スレーブ装置のフラッシュ素子の撮影時の出力色温度及び出力時間を設定するようにするステップとを含む。本開示は、スレーブ装置に対して設定する撮影パラメータの出力色温度及び出力時間を取得することで、スレーブ装置のフラッシュ素子の出力色温度及び出力時間を制御する。これにより、複数な端末による撮影を行う場合、スレーブ装置が光を補助する時の出力色温度の正確性を高め、撮影画像の品質を向上させる。【選択図】図１
2016522636.tif 000002
【特許請求の範囲】
【請求項１】
現在設定の撮影モードに基づいて、色温度調整可能なフラッシュ素子を含むスレーブ装置に対して設定する、少なくとも出力色温度及び出力時間を含む撮影パラメータを取得するステップと、
前記スレーブ装置と予め確立された無線データリンクを介して、前記撮影パラメータを前記スレーブ装置に送信することで、前記スレーブ装置が前記撮影パラメータに基づいて前記スレーブ装置のフラッシュ素子の撮影時の出力色温度及び出力時間を設定するようにするステップと、を含む
ことを特徴とする撮影パラメータ設定方法。
【請求項２】
前記現在設定の撮影モードに基づいて、スレーブ装置に対して設定する撮影パラメータを取得するステップは、
現在設定の撮影モードが第１撮影モードであると、現在ユーザにより設定された第１色温度値及び現在設定のシャッター時間を取得するステップと、
前記第１色温度値を前記スレーブ装置に対して設定するフラッシュ素子の出力色温度として決定し、前記シャッター時間を前記スレーブ装置に対して設定するフラッシュ素子の出力時間として決定するステップと、を含む
ことを特徴とする請求項１に記載の方法。
【請求項３】
前記現在設定の撮影モードに基づいて、スレーブ装置に対して設定する撮影パラメータを取得するステップは、
現在設定の撮影モードが第２撮影モードであると、現在の周囲環境の色温度を検出することで第２色温度値を取得するとともに、現在設定のシャッター時間を取得するステップと、
前記第２色温度値を前記スレーブ装置に対して設定するフラッシュ素子の出力色温度として決定し、前記シャッター時間を前記スレーブ装置に対して設定するフラッシュ素子の出力時間として決定するステップと、を含む
ことを特徴とする請求項１に記載の方法。
【請求項４】
前記現在設定の撮影モードに基づいて、スレーブ装置に対して設定する撮影パラメータを取得するステップの前に、さらに、
スレーブ装置と予め確立された無線データリンクを介してスレーブ装置に検出指令を送信するステップと、
前記スレーブ装置が前記検出指令に応じて報告する、当該スレーブ装置が現在の周囲環境の色温度を検出することにより取得した第３色温度値を受信するステップと、を含む
ことを特徴とする請求項１に記載の方法。
【請求項５】
前記現在設定の撮影モードに基づいて、スレーブ装置に対して設定する撮影パラメータを取得するステップは、
現在設定の撮影モードが第３撮影モードであると、現在設定のシャッター時間を取得するステップと、
前記第３色温度値を前記スレーブ装置に対して設定するフラッシュ素子の出力色温度として決定し、前記シャッター時間を前記スレーブ装置に対して設定するフラッシュ素子の出力時間として決定するステップと、を含む
ことを特徴とする請求項４に記載の方法。
【請求項６】
前記第３色温度値を前記スレーブ装置に対して設定するフラッシュ素子の出力色温度として決定するステップは、
２つ又は２つ以上のスレーブ装置が前記第３色温度値を報告する場合、各スレーブ装置が報告する第３色温度値により平均値を算出することで第４色温度値を取得し、前記第４色温度値を前記各スレーブ装置に対して設定するフラッシュ素子の出力色温度として決定するステップを含む
ことを特徴とする請求項５に記載の方法。
【請求項７】
マスタ装置から送信され、且つ少なくとも出力色温度及び出力時間を含む撮影パラメータを受信するステップと、
前記撮影パラメータに基づいて、自装置のフラッシュ素子の撮影時の出力色温度及び出力時間を設定するステップと、を含む
ことを特徴とする撮影パラメータ設定方法。
【請求項８】
さらに、前記マスタ装置から送信される撮影パラメータを受信するステップの前に、
マスタ装置から送信される検出指令を受信し、前記検出指令に応じて現在の周囲環境の色温度を検出するステップと、
検出した前記現在の周囲環境の色温度を前記マスタ装置にリターンするステップと、を含む
ことを特徴とする請求項７に記載の方法。
【請求項９】
現在設定の撮影モードに基づいて、色温度調整可能なフラッシュ素子を含むスレーブ装置に対して設定する、少なくとも出力色温度及び出力時間を含む撮影パラメータを取得するための取得モジュールと、
前記スレーブ装置と予め確立された無線データリンクを介して、前記撮影パラメータを前記スレーブ装置に送信することで、前記スレーブ装置が前記撮影パラメータに基づいて前記スレーブ装置のフラッシュ素子の撮影時の出力色温度及び出力時間を設定するようにするための第１送信モジュールと、を備える
ことを特徴とする撮影パラメータ設定装置。
【請求項１０】
前記取得モジュールは、
現在設定の撮影モードが第１撮影モードであると、現在ユーザにより設定された第１色温度値及び現在設定のシャッター時間を取得するための第１取得ユニットと、
前記第１色温度値を前記スレーブ装置に対して設定するフラッシュ素子の出力色温度として決定し、前記シャッター時間を前記スレーブ装置に対して設定するフラッシュ素子の出力時間として決定するための第１設定ユニットと、を備える
ことを特徴とする請求項９に記載の装置。
【請求項１１】
前記取得モジュールは、
現在設定の撮影モードが第２撮影モードであると、現在の周囲環境の色温度を検出することで第２色温度値を取得するとともに、現在設定のシャッター時間を取得するための第２取得ユニットと、
前記第２色温度値を前記スレーブ装置に対して設定するフラッシュ素子の出力色温度として決定し、前記シャッター時間を前記スレーブ装置に対して設定するフラッシュ素子の出力時間として決定するための第２設定ユニットと、を備える
ことを特徴とする請求項９に記載の装置。
【請求項１２】
さらに、スレーブ装置と予め確立された無線データリンクを介してスレーブ装置に検出指令を送信するための第２送信モジュールと、
前記スレーブ装置が前記検出指令に応じて報告する、現在の周囲環境の色温度を検出することにより取得した第３色温度値を受信するための第１受信モジュールと、を備える
ことを特徴とする請求項９に記載の装置。
【請求項１３】
前記取得モジュールは、
現在設定の撮影モードが第３撮影モードであると、現在設定のシャッター時間を取得するための第３取得ユニットと、
前記第３色温度値を前記スレーブ装置に対して設定するフラッシュ素子の出力色温度として決定し、前記シャッター時間を前記スレーブ装置に対して設定するフラッシュ素子の出力時間として決定するための第３設定ユニットと、を備える
ことを特徴とする請求項１２に記載の装置。
【請求項１４】
前記第３設定ユニットは、
２つ又は２つ以上のスレーブ装置が前記第３色温度値を報告する場合、各スレーブ装置が報告する第３色温度値により、平均値を算出することで第４色温度値を取得し、前記第４色温度値を前記各スレーブ装置に対して設定するフラッシュ素子の出力色温度として決定する
ことを特徴とする請求項１３に記載の装置。
【請求項１５】
マスタ装置から送信され、且つ少なくとも出力色温度及び出力時間を含む撮影パラメータを受信するための第２受信モジュールと、
前記撮影パラメータに基づいて、自装置のフラッシュ素子の撮影時の出力色温度及び出力時間を設定するための設定モジュールと、を備える
ことを特徴とする撮影パラメータ設定装置。
【請求項１６】
さらに、
マスタ装置から送信される検出指令を受信し、前記検出指令に応じて現在の周囲環境の色温度を検出するための第３受信モジュールと、
検出した前記現在の周囲環境の色温度を前記マスタ装置にリターンするためのリターンモジュールと、を備える
ことを特徴とする請求項１５に記載の装置。
【発明の詳細な説明】
【相互参照】
【０００１】
本願は、出願番号がＣＮ２０１４１０１６５５８７．１であって、出願日が２０１４年４月２３日である中国特許出願に基づき優先権を主張し、当該中国特許出願のすべての内容を本願に援用する。
【技術分野】
【０００２】
本開示は、端末技術分野に関し、特に、撮影パラメータ設定方法及び撮影パラメータ設定装置に関する。
【背景技術】
【０００３】
端末技術の発展に伴い、スマート端末は、益々普及している。通常のスマート端末は、ユーザの様々な撮影ニーズに答えるように、カメラ及び光を補助するための色温度調整可能なフラッシュ素子を含む。
【０００４】
現在、２つ又は２つ以上のスマート端末が共同に撮影を行うことで、プロ撮影なりの採光を実現することができる新しい撮影方法がよく使用されている。１つのスマート端末がマスタ装置として撮影を行い、他のスマート端末がスレーブ装置として自装置の有するフラッシュ素子を起動することでマスタ装置に補助光を提供する。マスタ装置は、撮影する場合、先ず、現在の周囲環境の色温度に基づいて自装置のフラッシュ素子の出力色温度を調整し、予め確立された無線データリンクを介して各スレーブ装置に起動コマンドを送信する。この時、スレーブ装置は、フラッシュ素子を起動してマスタ装置に補助光を提供する。
【０００５】
本開示の発明者は、上記従来技術において、下記問題を抱えることを見出した。
【０００６】
スレーブ装置は、撮影を行わないため、マスタ装置から起動コマンドを受信した時、自装置の予め設定された出力色温度に基づいてフラッシュ素子の出力色温度を設定し、現在の周囲環境の色温度を考慮していない。そのため、光が複雑な場合、撮影された画像が現在の周囲環境の要求に合わず、撮影された画像の色が正確ではない問題を引き起こす。
【発明の概要】
【０００７】
従来技術における問題を解決するために、本開示の実施例は、撮影パラメータ設定方法及び撮影パラメータ設定装置を提供する。以下では、本開示の方法について説明する。
【０００８】
本開示の実施例の第１方面による撮影パラメータ設定方法は、
現在設定の撮影モードに基づいて、色温度調整可能なフラッシュ素子を含むスレーブ装置に対して設定する、少なくとも出力色温度及び出力時間を含む撮影パラメータを取得するステップと、
前記スレーブ装置と予め確立された無線データリンクを介して、前記撮影パラメータを前記スレーブ装置に送信することで、前記スレーブ装置が前記撮影パラメータに基づいて前記スレーブ装置のフラッシュ素子の撮影時の出力色温度及び出力時間を設定するようにするステップと、を含む。
【０００９】
本開示の実施例の第２方面による撮影パラメータ設定方法は、
マスタ装置から送信され、且つ少なくとも出力色温度及び出力時間を含む撮影パラメータを受信するステップと、
前記撮影パラメータに基づいて、自装置のフラッシュ素子の撮影時の出力色温度及び出力時間を設定するステップと、を含む。
【００１０】
本開示の実施例の第３方面による撮影パラメータ設定装置は、
現在設定の撮影モードに基づいて、色温度調整可能なフラッシュ素子を含むスレーブ装置に対して設定する、少なくとも出力色温度及び出力時間を含む撮影パラメータを取得するための取得モジュールと、
前記スレーブ装置と予め確立された無線データリンクを介して、前記撮影パラメータを前記スレーブ装置に送信することで、前記スレーブ装置が前記撮影パラメータに基づいて前記スレーブ装置のフラッシュ素子の撮影時の出力色温度及び出力時間を設定するようにするための第１送信モジュールと、を備える。
【００１１】
本開示の実施例の第４方面による撮影パラメータ設定装置は、マスタ装置から送信され、且つ少なくとも出力色温度及び出力時間を含む撮影パラメータを受信するための第２受信モジュールと、
前記撮影パラメータに基づいて、自装置のフラッシュ素子の撮影時の出力色温度及び出力時間を設定するための設定モジュールと、を備える。
【００１２】
本開示の実施例による技術方案は、以下の作用効果を奏する。
【００１３】
本開示において、スレーブ装置に対して設定する撮影パラメータの出力色温度及び出力時間を取得することで、スレーブ装置のフラッシュ素子の出力色温度及び出力時間を制御する。これにより、複数の端末による撮影を行う場合、スレーブ装置が光を補助する時の出力色温度の正確性を高め、撮影画像の品質を向上させる。
【００１４】
以上の一般的な記述及び以下の詳細な記述は、例示的なものに過ぎず、本開示を限定するものではないと理解すべきである。
【図面の簡単な説明】
【００１５】
ここでの図面は、明細書の一部分として明細書全体を構成することにより、本開示に合致する実施例を例示するとともに、本開示の原理を解釈するためのものである。
【００１６】
【図１】本開示の例示的な実施例に係る撮影パラメータ設定方法を例示的に示すフローチャートである。
【図２】本開示の例示的な実施例に係る撮影パラメータ設定方法を示すフローチャートである。
【図３】本開示の例示的な実施例に係る撮影パラメータ設定方法を示すフローチャートである。
【図４】本開示の例示的な実施例に係る撮影パラメータ設定方法を示すフローチャートである。
【図５】本開示の例示的な実施例に係る撮影パラメータ設定方法を示すフローチャートである。
【図６】本開示の例示的な実施例に係る撮影パラメータ設定装置の構成を示すブロック図である。
【図７】本開示の例示的な実施例に係る撮影パラメータ設定装置の構成を示すブロック図である。
【図８】本開示の例示的な実施例に係る端末の構成を示すブロック図である。
【図９】本開示の例示的な実施例に係る端末の構成を示すブロック図である。
【発明を実施するための形態】
【００１７】
以下、本開示の目的、技術方案及び利点をより明瞭にするために、実施形態と図面を参照しながら、本開示について更に詳しく説明する。
【００１８】
第１実施例
本開示の実施例は、撮影パラメータ設定方法を提供する。図１に示すように、撮影パラメータ設定方法は、下記ステップを含む。
【００１９】
ステップ１０１において、現在設定の撮影モードに基づいて、色温度調整可能なフラッシュ素子を含むスレーブ装置に対して設定する、少なくとも出力色温度及び出力時間を含む撮影パラメータを取得する。本実施例の方法は、端末に適用される。
【００２０】
ステップ１０２において、スレーブ装置と予め確立された無線データリンクを介して、撮影パラメータをスレーブ装置に送信し、スレーブ装置に撮影パラメータに基づいてスレーブ装置のフラッシュ素子の撮影時の出力色温度及び出力時間を設定させる。本実施例の方法は、端末に適用される。
【００２１】
本開示の実施例は、スレーブ装置に対して設定する撮影パラメータの出力色温度及び出力時間を取得することで、スレーブ装置のフラッシュ素子の出力色温度及び出力時間を制御する。これにより、複数な端末による撮影を行う場合、スレーブ装置が光を補助する時の出力色温度の正確性を高め、撮影画像の品質を向上させる。
【００２２】
第２実施例
本開示の実施例は、撮影パラメータ設定方法を提供する。図２に示すように、撮影パラメータ設定方法は、下記ステップを含む。
【００２３】
ステップ２０１において、マスタ装置から送信され、且つ少なくとも出力色温度及び出力時間を含む撮影パラメータを受信する。本実施例の方法は、端末に適用される。
【００２４】
ステップ２０２において、撮影パラメータに基づいて、自装置のフラッシュ素子の撮影時の出力色温度及び出力時間を設定する。本実施例の方法は、端末に適用される。
【００２５】
本開示の実施例は、スレーブ装置に対して設定する撮影パラメータの出力色温度及び出力時間を取得することで、スレーブ装置のフラッシュ素子の出力色温度及び出力時間を制御する。これにより、複数な端末による撮影を行う場合、スレーブ装置が光を補助する時の出力色温度の正確性を高め、撮影画像の品質を向上させる。
【００２６】
第３実施例
本開示の実施例は、撮影パラメータ設定方法を提供する。図３に示すように、撮影パラメータ設定方法は、下記ステップを含む。
【００２７】
ステップ３０１において、マスタ装置は、現在設定の撮影モードに基づいて、色温度調整可能なフラッシュ素子を含むスレーブ装置に対して設定する、少なくとも出力色温度及び出力時間を含む撮影パラメータを取得する。本実施例の方法は、端末に適用される。
【００２８】
当該ステップ３０１は、下記２つのステップにより完成できる。
【００２９】
ステップ３０１１において、現在設定の撮影モードが第１撮影モードであると、マスタ装置は、現在ユーザにより設定された第１色温度値及び現在設定のシャッター時間を取得する。本実施例の方法は、端末に適用される。
【００３０】
本実施例において、出力色温度の制御は、ユーザにより設定され、即ち第１撮影モードである。この撮影モードでは、マスタ装置が現在の周囲環境の色温度について検出を行わず、撮影過程においてユーザが手動で現時点の色温度値を設定することで、ユーザの創作ニーズを満足させる。
【００３１】
ユーザが色温度を設定する過程において、ユーザは、撮影画面における該当の選択項目を選択することでマスタ装置のフラッシュ素子の出力色温度を設定できる。本開示の実施例において、ユーザにより設定された出力色温度は、第１色温度値である。
【００３２】
さらに、現在設定のシャッター時間は、予め設定されたシャッター時間であってもよく、ユーザにより設定されたシャッター時間であってもよい。シャッター時間の取得は、様々な方法により行われてもよく、特定の方法に限定しない。
【００３３】
ステップ３０１２において、マスタ装置は、第１色温度値をスレーブ装置に対して設定するフラッシュ素子の出力色温度として決定し、シャッター時間をスレーブ装置に対して設定するフラッシュ素子の出力時間として決定する。本実施例の方法は、端末に適用される。
【００３４】
第１撮影モードにおいて、スレーブ装置に対して設定する撮影パラメータは、第１色温度値及び現在設定のシャッター時間を含み、スレーブ装置に次回撮影時のフラッシュ素子の出力色温度及び出力時間を設定させることができる。
【００３５】
ステップ３０２において、マスタ装置は、スレーブ装置と予め確立された無線データリンクを介して、撮影パラメータをスレーブ装置に送信することで、スレーブ装置に撮影パラメータに基づいて、スレーブ装置のフラッシュ素子の撮影時の出力色温度及び出力時間を設定させる。本実施例の方法は、端末に適用される。
【００３６】
マスタ装置とスレーブ装置は、無線信号発信機を内蔵し、無線通信を行う。マスタ装置は、撮影を行う前、予め当該無線信号発信機を介して各スレーブ装置と無線データリンクを確立する。選択的な無線接続方式は、Ｂｌｕｅｔｏｏｔｈ、ＷｉＦｉ（Ｗｉｒｅｌｅｓｓ−Ｆｉｄｅｌｉｔｙ，無線忠実）などを含むが、これらに限定されるものではない。
【００３７】
ステップ３０３において、スレーブ装置は、マスタ装置から送信され、且つ少なくとも出力色温度及び出力時間を含む撮影パラメータを受信する。本実施例の方法は、端末に適用される。
【００３８】
ステップ３０４において、スレーブ装置は、受信したパラメータに基づいて、自装置のフラッシュ素子の撮影時の出力色温度及び出力時間を設定する。本実施例の方法は、端末に適用される。
【００３９】
本開示の実施例は、スレーブ装置に対して設定する撮影パラメータの出力色温度及び出力時間を取得することで、スレーブ装置のフラッシュ素子の出力色温度及び出力時間を制御する。これにより、複数な端末による撮影を行う場合、スレーブ装置が光を補助する時の出力色温度の正確性を高め、撮影画像の品質を向上させる。
【００４０】
第４実施例
本開示の実施例は、撮影パラメータ設定方法を提供する。図４に示すように、撮影パラメータ設定方法は、下記ステップを含む。
【００４１】
ステップ４０１において、マスタ装置は、現在設定の撮影モードに基づいて、色温度調整可能なフラッシュ素子を含むスレーブ装置に対して設定する、少なくとも出力色温度及び出力時間を含む撮影パラメータを取得する。本実施例の方法は、端末に適用される。
【００４２】
ステップ４０１は、下記２つのステップにより完成できる。
【００４３】
ステップ４０１１において、現在設定の撮影モードが第２撮影モードであると、マスタ装置は、現在の周囲環境の色温度を検出することで第２色温度値を取得するとともに、現在設定のシャッター時間を取得する。本実施例の方法は、端末に適用される。
【００４４】
実施例において、出力色温度の制御は、マスタ装置により設定され、即ち第２撮影モードである。この撮影モードでは、マスタ装置は、自装置が有する光センサーにより現在の周囲環境の色温度を検出し、検出した現在の周囲環境の色温度、即ち第２色温度値をスレーブ装置に対して設定する出力色温度として決定する。
【００４５】
さらに、現在設定のシャッター時間は、予め設定されたシャッター時間であってもよく、ユーザにより設定されたシャッター時間であってもよい。シャッター時間の取得は、様々な方法により行われてもよく、特定の方法に限定しない。
【００４６】
ステップ４０１２において、マスタ装置は、第２色温度値をスレーブ装置に対して設定するフラッシュ素子の出力色温度として決定し、シャッター時間をスレーブ装置に対して設定するフラッシュ素子の出力時間として決定する。本実施例の方法は、端末に適用される。
【００４７】
ステップ４０２において、マスタ装置は、スレーブ装置と予め確立された無線データリンクを介して、撮影パラメータをスレーブ装置に送信することで、スレーブ装置に撮影パラメータに基づいて、スレーブ装置のフラッシュ素子の撮影時の出力色温度及び出力時間を設定させる。本実施例の方法は、端末に適用される。
【００４８】
マスタ装置とスレーブ装置は、無線信号発信機を内蔵し、無線通信を行う。マスタ装置は、撮影を行う前、予め当該無線信号発信機を介して各スレーブ装置と無線データリンクを確立する。選択的な無線接続方式は、Ｂｌｕｅｔｏｏｔｈ、ＷｉＦｉ  （Ｗｉｒｅｌｅｓｓ−Ｆｉｄｅｌｉｔｙ，無線忠実）などを含むが、これらに限定されるものではない。
【００４９】
ステップ４０３において、スレーブ装置は、マスタ装置から送信され、且つ少なくとも出力色温度及び出力時間を含む撮影パラメータを受信する。本実施例の方法は、端末に適用される。
【００５０】
ステップ４０４において、スレーブ装置は、受信したパラメータに基づいて、自装置のフラッシュ素子の撮影時の出力色温度及び出力時間を設定する。本実施例の方法は、端末に適用される。
【００５１】
本開示の実施例は、スレーブ装置に対して設定する撮影パラメータの出力色温度及び出力時間を取得することで、スレーブ装置のフラッシュ素子の出力色温度及び出力時間を制御する。これにより、複数な端末による撮影を行う場合、スレーブ装置が光を補助する時の出力色温度の正確性を高め、撮影画像の品質を向上させる。
【００５２】
第５実施例
本開示の実施例は、撮影パラメータ設定方法を提供する。図５に示すように、撮影パラメータ設定方法は、下記ステップを含む。
【００５３】
ステップ５０１において、マスタ装置は、スレーブ装置と予め確立した無線データリンクを介してスレーブ装置に検出指令を送信する。本実施例の方法は、端末に適用される。
【００５４】
マスタ装置とスレーブ装置は、無線信号発信機を内蔵し、無線通信を行う。マスタ装置は、撮影を行う前、予め当該無線信号発信機を介して各スレーブ装置と無線データリンクを確立する。選択的な無線接続方式は、Ｂｌｕｅｔｏｏｔｈ、ＷｉＦｉ  （Ｗｉｒｅｌｅｓｓ−Ｆｉｄｅｌｉｔｙ，無線忠実）などを含むが、これらに限定されるものではない。
【００５５】
ステップ５０２において、スレーブ装置は、マスタ装置から送信される検出指令を受信し、検出指令に基づいて、現在の周囲環境の色温度を検出する。本実施例の方法は、端末に適用される。
【００５６】
スレーブ装置は、自装置に含まれる光センサーにより現在の周囲環境の色温度を検出することで、第３色温度値として現在の周囲環境の色温度を取得する。
【００５７】
ステップ５０３において、スレーブ装置は、検出した現在の周囲環境の色温度をマスタ装置にリターンする。本実施例の方法は、端末に適用される。
【００５８】
ステップ５０４において、マスタ装置は、スレーブ装置が検出指令に応じて報告した第３色温度値を受信する。第３色温度値は、スレーブ装置が現在の周囲環境の色温度を検出することにより得られるものである。本実施例の方法は、端末に適用される。
【００５９】
ステップ５０５において、マスタ装置は、現在設定の撮影モードに基づいて、色温度調整可能なフラッシュ素子を含むスレーブ装置に対して設定する、少なくとも出力色温度及び出力時間を含む撮影パラメータを取得する。本実施例の方法は、端末に適用される。
【００６０】
ステップ５０５は、下記の２つのステップにより完成できる。
【００６１】
ステップ５０５１において、現在設定の撮影モードが第３撮影モードであると、マスタ装置は、現在設定のシャッター時間を取得する。本実施例の方法は、端末に適用される。
【００６２】
現在設定のシャッター時間は、予め設定されたシャッター時間であってもよく、ユーザにより設定されたシャッター時間であってもよい。シャッター時間の取得は、様々な方法により行われてもよく、特定の方法に限定しない。本実施例の方法は、端末に適用される。
【００６３】
ステップ５０５２において、マスタ装置は、第３色温度値をスレーブ装置のフラッシュ素子にたいして設定する出力色温度として決定し、シャッター時間をスレーブ装置に対して設定するフラッシュ素子の出力時間として決定する。
【００６４】
本開示実施例において、スレーブ装置が検出した現在の周囲環境の色温度、即ち第３色温度値を、スレーブ装置の撮影パラメータの色温度として設定する。
【００６５】
選択的に、撮影照明用のスレーブ装置が２つ又は２つ以上ある場合、採光場面において、異なるスレーブ装置は、異なる位置に配置される。従って、光の複雑な環境が存在するため、異なる位置にあるスレーブ装置は、異なる色温度を検出し、報告する色温度値も異なる。マスタ装置は、複数のスレーブ装置から報告された異なる色温度のバランスをとるために、報告された複数の第３温度値に対して加重平均法で計算し、第４色温度値を取得するとともに、この第４色温度値を各スレーブ装置に対して設定するフラッシュ素子の出力色温度として決定する。そのため、ステップ５０５２において、第３色温度値をスレーブ装置に対して設定するフラッシュ素子の出力色温度として決定するステップは、さらに、以下のようである。
【００６６】
２つ又は２つ以上のスレーブ装置が第３色温度値を報告する場合、各スレーブ装置が報告する第３色温度値により、平均値を算出して第４色温度値を取得し、第４色温度値を各スレーブ装置に対して設定するフラッシュ素子の出力色温度として決定する。
【００６７】
ステップ５０６において、マスタ装置は、スレーブ装置と予め確立された無線データリンクを介して、撮影パラメータをスレーブ装置に送信することで、スレーブ装置に撮影パラメータに基づいて、スレーブ装置のフラッシュ素子の撮影時の出力色温度及び出力時間を設定させる。本実施例の方法は、端末に適用される。
【００６８】
ステップ５０７において、スレーブ装置は、マスタ装置から送信され、且つ少なくとも出力色温度及び出力時間を含む撮影パラメータを受信する。本実施例の方法は、端末に適用される。
【００６９】
ステップ５０８において、スレーブ装置は、受信したパラメータに基づいて、自分のフラッシュ素子の撮影時の出力色温度及び出力時間を設定する。本実施例の方法は、端末に適用される。
【００７０】
本開示の実施例は、スレーブ装置に対して設定する撮影パラメータの出力色温度及び出力時間を取得することで、スレーブ装置のフラッシュ素子の出力色温度及び出力時間を制御する。これにより、複数な端末による撮影を行う場合、スレーブ装置が光を補助する時の出力色温度の正確性を高め、撮影画像の品質を向上させる。
【００７１】
第６実施例
本開示の実施例は、撮影パラメータ設定装置を提供する。図６に示すように、撮影パラメータ設定装置は、現在設定の撮影モードに基づいて、色温度調整可能なフラッシュ素子を含むスレーブ装置に対して設定する、少なくとも出力色温度及び出力時間を含む撮影パラメータを取得するための取得モジュール６０１と、スレーブ装置と予め確立された無線データリンクを介して、撮影パラメータをスレーブ装置に送信することで、スレーブ装置に撮影パラメータに基づいてスレーブ装置のフラッシュ素子の撮影時の出力色温度及び出力時間を設定させるための第１送信モジュール６０２と、を含む。
【００７２】
取得モジュール６０１は、現在設定の撮影モードが第１撮影モードであると、現在ユーザにより設定された第１色温度値及び現在設定のシャッター時間を取得する第１取得ユニットと、第１色温度値をスレーブ装置に対して設定するフラッシュ素子の出力色温度として決定し、シャッター時間をスレーブ装置に対して設定するフラッシュ素子の出力時間として決定するための第１設定ユニットを備える。
【００７３】
取得モジュール６０１は、さらに、現在設定の撮影モードが第２撮影モードであると、現在の周囲環境の色温度を検出することで第２色温度値を取得するとともに、現在設定のシャッター時間を取得するための第２取得ユニットと、第２色温度値をスレーブ装置に対して設定するフラッシュ素子の出力色温度として決定し、シャッター時間をスレーブ装置に対して設定するフラッシュ素子の出力時間として決定する第２設定ユニットを備える。
【００７４】
撮影パラメータ設定装置は、さらに、スレーブ装置と予め確立された無線データリンクを介してスレーブ装置に検出指令を送信するための第２送信モジュール６０３と、スレーブ装置が検出指令に応じて報告する、現在の周囲環境の色温度を検出することにより取得した第３色温度値を受信するための第１受信モジュール６０４を備える。
【００７５】
これに応じて、取得モジュール６０１は、現在設定の撮影モードが第３撮影モードであると、現在設定のシャッター時間を取得するための第３取得ユニットと、第３色温度値をスレーブ装置に対して設定するフラッシュ素子の出力色温度として決定し、シャッター時間をスレーブ装置に対して設定するフラッシュ素子の出力時間として決定するための第３設定ユニットとを備える。
【００７６】
第３設定ユニットは、２つ又は２つ以上のスレーブ装置が第３色温度値を報告する場合、各スレーブ装置が報告する第３色温度値の平均値を算出することで第４色温度値を取得し、第４色温度値を各スレーブ装置に対して設定するフラッシュ素子の出力色温度として決定するのに用いられる。
【００７７】
本開示の実施例は、スレーブ装置に対して設定する撮影パラメータの出力色温度及び出力時間を取得することで、スレーブ装置のフラッシュ素子の出力色温度及び出力時間を制御する。これにより、複数な端末による撮影を行う場合、スレーブ装置が光を補助する時の出力色温度の正確性を高め、撮影画像の品質を向上させる。
【００７８】
第７実施例
本開示の実施例は、撮影パラメータ設定装置を提供する。図７に示すように、撮影パラメータ設定装置は、マスタ装置から送信され、且つ少なくとも出力色温度及び出力時間を含む撮影パラメータを受信するための第２受信モジュール７０１と、撮影パラメータに基づいて、自身のフラッシュ素子の撮影時の出力色温度及び出力時間を設定するための設定モジュール７０２を備える。
【００７９】
撮影パラメータ設定装置は、さらに、マスタ装置から送信される検出指令を受信し、検出指令に応じて現在の周囲環境の色温度を検出するための第３受信モジュール７０３と、検出した現在の周囲環境の色温度をマスタ装置にリターンするリターンモジュール７０４を備える。
【００８０】
本開示の実施例は、スレーブ装置に対して設定する撮影パラメータの出力色温度及び出力時間を取得することで、スレーブ装置のフラッシュ素子の出力色温度及び出力時間を制御する。これにより、複数な端末による撮影を行う場合、スレーブ装置が光を補助する時の出力色温度の正確性を高め、撮影画像の品質を向上させる。
【００８１】
第８実施例
本開示の実施例は、端末装置を提供する。図８は、例示的な実施例による端末装置のブロック図である。例えば、端末装置８００は、携帯電話、コンピューター、デジタル放送端末、メッセージ送受信デバイス、ゲームコンソール、タブレットデバイス、医療機器、フィットネス機器、パーソナルデジタルアシスタント等であってもよい。
【００８２】
図８を参照して、端末装置８００は、プロセスアセンブリ８０２、メモリ８０４、電源アセンブリ８０６、マルチメディアアセンブリ８０８、オーディオアセンブリ８１０、入出力（Ｉ／Ｏ）インターフェイス８１２、センサアセンブリ８１４、及び通信アセンブリ８１６のような一つ以上のアセンブリを含んでよい。
【００８３】
プロセスアセンブリ８０２は、一般的には端末装置８００の全体の操作を制御するものであり、例えば、表示、電話呼び出し、データ通信、カメラ操作、及び記録操作と関連する操作を制御する。プロセスアセンブリ８０２は、一つ以上のプロセッサ８２０を含み、これらによって命令を実行することにより、上記の方法の全部、或は一部のステップを実現するようにしてもよい。なお、プロセスアセンブリ８０２は、一つ以上のモジュールを含み、これらによってプロセスアセンブリ８０２と他のアセンブリの間のインタラクションを容易にするようにしてもよい。例えば、プロセスアセンブリ８０２は、マルチメディアモジュールを含み、これらによってマルチメディアアセンブリ８０８とプロセスアセンブリ８０２の間のインタラクションを容易にするようにしてもよい。
【００８４】
メモリ８０４は、各種類のデータを記憶することにより端末装置８００の操作を支援するように構成される。これらのデータの例は、端末装置８００において操作されるいずれのアプリケーションプログラム又は方法の命令、連絡対象データ、電話帳データ、メッセージ、画像、ビデオ等を含む。メモリ８０４は、いずれの種類の揮発性メモリ、不揮発性メモリ記憶デバイスまたはそれらの組み合わせによって実現されてもよく、例えば、ＳＲＡＭ（Ｓｔａｔｉｃ Ｒａｎｄｏｍ Ａｃｃｅｓｓ Ｍｅｍｏｒｙ）ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【００８５】
電源アセンブリ８０６は、端末装置８００の多様なアセンブリに電力を供給する。電源アセンブリ８０６は、電源管理システム、一つ以上の電源、及び端末装置８００のための電力の生成、管理及び割り当てに関連する他のアセンブリを含んでもよい。
【００８６】
マルチメディアアセンブリ８０８は、前記端末装置８００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記のタッチ、或はスライド操作に係る継続時間及び圧力も検出できる。上記の実施例において、マルチメディアアセンブリ８０８は、一つのフロントカメラ、及び／又はリアカメラを含む。端末装置８００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【００８７】
オーディオアセンブリ８１０は、オーディオ信号を入出力するように構成されてもよい。例えば、オーディオアセンブリ８１０は、一つのマイク（ＭＩＣ）を含み、端末装置８００が、例えば呼出しモード、記録モード、及び音声認識モード等の操作モードにある場合、マイクは外部のオーディオ信号を受信することができる。受信されたオーディオ信号は、さらにメモリ８０４に記憶されたり、通信アセンブリ８１６を介して送信されたりされる。上記の実施例において、オーディオアセンブリ８１０は、オーディオ信号を出力するための一つのスピーカーをさらに含む。
【００８８】
Ｉ／Ｏインターフェイス８１２は、プロセスアセンブリ８０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【００８９】
センサアセンブリ８１４は、端末装置８００に各方面の状態に対する評価を提供するための一つ以上のセンサを含む。例えば、センサアセンブリ８１４は、端末装置８００のＯＮ／ＯＦＦ状態、端末装置８００のディスプレイとキーパッドのようなアセンブリの相対的な位置決めを検出できる。また、例えば、センサアセンブリ８１４は、端末装置８００、或は端末装置８００の一つのアセンブリの位置変更、ユーザと端末装置８００とが接触しているか否か、端末装置８００の方位、又は加速／減速、端末装置８００の温度の変化を検出できる。センサアセンブリ８１４は、何れの物理的接触がない状態にて付近の物体の存在を検出するための近接センサを含んでもよい。センサアセンブリ８１４は、撮影アプリケーションに適用するため、ＣＭＯＳ、又はＣＣＤ図像センサのような光センサを含んでもよい。上記の実施例において、当該センサアセンブリ８１４は、加速度センサ、ジャイロスコープセンサ、磁気センサ、圧力センサ、及び温度センサをさらに含んでもよい。
【００９０】
通信アセンブリ８１６は、端末装置８００と他の機器の間に有線、又は无線形態の通信を提供する。端末装置８００は、例えばＷｉＦｉ、２Ｇ、３Ｇ、或はこれらの組み合わせのような、通信規格に基づいた无線ネットワークに接続されてもよい。一つの例示的な実施例において、通信アセンブリ８１６は、放送チャンネルを介して外部の放送管理システムからの放送信号、又は放送に関連する情報を受信する。一つの例示的な実施例において、前記通信アセンブリ８１６は、近距離無線通信（ＮＦＣ）モジュールをさらに含むことにより、近距離通信を推進するようにする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ  Ｗｉｄｅ Ｂａｎｄ）技術、ＢＴ（Ｂｌｕｅｔｏｏｔｈ）技術、他の技術に基づいて実現できる。
【００９１】
例示的な実施例において、端末装置８００は、一つ以上のＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【００９２】
例示的な実施例において、さらに、命令を含む非一時的なコンピュータで読み取り可能な記憶媒体、例えば命令を含むメモリ８０４を提供しており、端末装置８００のプロセッサ８２０により上記命令を実行して上記方法を実現する。例えば、前記非一時的なコンピュータで読み取り可能な記憶媒体は、ＲＯＭ、ＲＡＭ（Ｒａｎｄｏｍ−Ａｃｃｅｓｓ Ｍｅｍｏｒｙ）、ＣＤ−ＲＯＭ（Ｃｏｍｐａｃｔ Ｄｉｓｃ ＲＯＭ）、磁気テープ、フロッピーディスク、光データ記憶デバイス等である。
【００９３】
非一時的なコンピュータで読み取り可能な記憶媒体は、前記記憶媒体における指令がモバイル端末のプロセッサで実行されると、端末装置に、撮影パラメータ設定方法を実施させる。
【００９４】
前記撮影パラメータ設定方法は、現在設定の撮影モードに基づいて、色温度調整可能なフラッシュ素子を含むスレーブ装置に対して設定する、少なくとも出力色温度及び出力時間を含む撮影パラメータを取得するステップと、スレーブ装置と予め確立された無線データリンクを介して、撮影パラメータをスレーブ装置に送信することで、スレーブ装置が撮影パラメータに基づいて、スレーブ装置のフラッシュ素子の撮影時の出力色温度及び出力時間を設定するステップとを含む。
【００９５】
選択的に、現在設定の撮影モードに基づいて、スレーブ装置に対して設定する撮影パラメータを取得するステップは、現在設定の撮影モードが第１撮影モードであると、現在ユーザにより設定された第１色温度値及び現在設定のシャッター時間を取得するステップと、第１色温度値をスレーブ装置に対して設定するフラッシュ素子の出力色温度として決定し、シャッター時間をスレーブ装置に対して設定するフラッシュ素子の出力時間として決定するステップとを含む。
【００９６】
選択的に、現在設定の撮影モードに基づいて、スレーブ装置に対して設定する撮影パラメータを取得するステップは、現在設定の撮影モードが第２撮影モードであると、現在の周囲環境の色温度を検出することで第２色温度値を取得するとともに、現在設定のシャッター時間を取得するステップと、第２色温度値をスレーブ装置に対して設定するフラッシュ素子の出力色温度として決定し、シャッター時間をスレーブ装置に対して設定するフラッシュ素子の出力時間として決定するステップとを含む。
【００９７】
選択的に、上記方法は、現在設定の撮影モードに基づいて、スレーブ装置に対して設定する撮影パラメータを取得するステップ前に、さらに、スレーブ装置と予め確立された無線データリンクを介してスレーブ装置に検出指令を送信するステップと、スレーブ装置が検出指令に応じて報告する、現在の周囲環境の色温度を検出することにより取得した第３色温度値を受信するステップと、を含む。
【００９８】
選択的に、現在設定の撮影モードに基づいて、スレーブ装置に対して設定する撮影パラメータを取得するステップは、現在設定の撮影モードが第３撮影モードであると、現在設定のシャッター時間を取得するステップと、第３色温度値をスレーブ装置に対して設定するフラッシュ素子の出力色温度として決定し、シャッター時間をスレーブ装置に対して設定するフラッシュ素子の出力時間として決定するステップとを含む。
【００９９】
選択的に、第３色温度値をスレーブ装置に対して設定するフラッシュ素子の出力色温度として決定するステップは、２つ又は２つ以上のスレーブ装置が第３色温度値を報告する時、各スレーブ装置が報告する第３色温度値により平均値を算出することで第４色温度値を取得し、第４色温度値を各スレーブ装置に対して設定するフラッシュ素子の出力色温度として決定するステップを含む。
【０１００】
本開示の実施例は、スレーブ装置に対して設定する撮影パラメータの出力色温度及び出力時間を取得することで、スレーブ装置のフラッシュ素子の出力色温度及び出力時間を制御する。これにより、複数な端末による撮影を行う場合、スレーブ装置が光を補助する時の出力色温度の正確性を高め、撮影画像の品質を向上させる。
【０１０１】
第９実施例
本開示の実施例は、端末装置を提供する。図９は、例示的な実施例による端末装置のブロック図である。例えば、端末装置９００は、携帯電話、コンピューター、デジタル放送端末、メッセージ送受信デバイス、ゲームコンソール、タブレットデバイス、医療機器、フィットネス機器、パーソナルデジタルアシスタント等であってもよい。
【０１０２】
図９を参照して、端末装置９００は、プロセスアセンブリ９０２、メモリ９０４、電源アセンブリ９０６、マルチメディアアセンブリ９０８、オーディオアセンブリ９１０、入出力（Ｉ／Ｏ）インターフェイス９１２、センサアセンブリ９１４、及び通信アセンブリ９１６のような一つ以上のアセンブリを含んでよい。
【０１０３】
プロセスアセンブリ９０２は、一般的には端末装置９００の全体の操作を制御するものであり、例えば、表示、電話呼び出し、データ通信、カメラ操作、及び記録操作と関連する操作を制御する。プロセスアセンブリ９０２は、一つ以上のプロセッサ９２０を含み、これらによって命令を実行することにより、上記の方法の全部、或は一部のステップを実現するようにしてもよい。なお、プロセスアセンブリ９０２は、一つ以上のモジュールを含み、これらによってプロセスアセンブリ９０２と他のアセンブリの間のインタラクションを容易にするようにしてもよい。例えば、プロセスアセンブリ９０２は、マルチメディアモジュールを含み、これらによってマルチメディアアセンブリ９０８とプロセスアセンブリ９０２の間のインタラクションを容易にするようにしてもよい。
【０１０４】
メモリ９０４は、各種類のデータを記憶することにより端末装置９００の操作を支援するように構成される。これらのデータの例は、端末装置９００において操作されるいずれのアプリケーションプログラム又は方法の命令、連絡対象データ、電話帳データ、メッセージ、画像、ビデオ等を含む。メモリ９０４は、いずれの種類の揮発性メモリ、不揮発性メモリ記憶デバイスまたはそれらの組み合わせによって実現されてもよく、例えば、ＳＲＡＭ（Ｓｔａｔｉｃ Ｒａｎｄｏｍ Ａｃｃｅｓｓ Ｍｅｍｏｒｙ）ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【０１０５】
電源アセンブリ９０６は、端末装置９００の多様なアセンブリに電力を供給する。電源アセンブリ９０６は、電源管理システム、一つ以上の電源、及び端末装置９００のための電力の生成、管理及び割り当てに関連する他のアセンブリを含んでもよい。
【０１０６】
マルチメディアアセンブリ９０８は、前記端末装置９００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記のタッチ、或はスライド操作に係る継続時間及び圧力も検出できる。上記の実施例において、マルチメディアアセンブリ９０８は、一つのフロントカメラ、及び／又はリアカメラを含む。端末装置９００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０１０７】
オーディオアセンブリ９１０は、オーディオ信号を入出力するように構成されてもよい。例えば、オーディオアセンブリ９１０は、一つのマイク（ＭＩＣ）を含み、端末装置９００が、例えば呼出しモード、記録モード、及び音声認識モード等の操作モードにある場合、マイクは外部のオーディオ信号を受信することができる。受信されたオーディオ信号は、さらにメモリ９０４に記憶されたり、通信アセンブリ９１６を介して送信されたりされる。上記の実施例において、オーディオアセンブリ９１０は、オーディオ信号を出力するための一つのスピーカーをさらに含む。
【０１０８】
Ｉ／Ｏインターフェイス９１２は、プロセスアセンブリ９０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【０１０９】
センサアセンブリ９１４は、端末装置９００に各方面の状態に対する評価を提供するための一つ以上のセンサを含む。例えば、センサアセンブリ９１４は、端末装置９００のＯＮ／ＯＦＦ状態、端末装置９００のディスプレイとキーパッドのようなアセンブリの相対的な位置決めを検出できる。また、例えば、センサアセンブリ９１４は、端末装置９００、或は端末装置９００の一つのアセンブリの位置変更、ユーザと端末装置９００とが接触しているか否か、端末装置９００の方位、又は加速／減速、端末装置９００の温度の変化を検出できる。センサアセンブリ９１４は、何れの物理的接触がない状態にて付近の物体の存在を検出するための近接センサを含んでもよい。センサアセンブリ９１４は、撮影アプリケーションに適用するため、ＣＭＯＳ、又はＣＣＤ図像センサのような光センサを含んでもよい。上記の実施例において、当該センサアセンブリ９１４は、加速度センサ、ジャイロスコープセンサ、磁気センサ、圧力センサ、及び温度センサをさらに含んでもよい。
【０１１０】
通信アセンブリ９１６は、端末装置９００と他の機器の間に有線、又は无線形態の通信を提供する。端末装置９００は、例えばＷｉＦｉ、２Ｇ、３Ｇ、或はこれらの組み合わせのような、通信規格に基づいた无線ネットワークに接続されてもよい。一つの例示的な実施例において、通信アセンブリ９１６は、放送チャンネルを介して外部の放送管理システムからの放送信号、又は放送に関連する情報を受信する。一つの例示的な実施例において、前記通信アセンブリ９１６は、近距離無線通信（ＮＦＣ）モジュールをさらに含むことにより、近距離通信を推進するようにする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ）技術、他の技術に基づいて実現できる。
【０１１１】
例示的な実施例において、端末装置９００は、一つ以上のＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【０１１２】
例示的な実施例において、さらに、命令を含む非一時的なコンピュータで読み取り可能な記憶媒体、例えば命令を含むメモリ９０４を提供しており、端末装置９００のプロセッサ９２０により上記命令を実行して上記方法を実現する。例えば、前記非一時的なコンピュータで読み取り可能な記憶媒体は、ＲＯＭ、ＲＡＭ（Ｒａｎｄｏｍ−Ａｃｃｅｓｓ Ｍｅｍｏｒｙ）、ＣＤ−ＲＯＭ（Ｃｏｍｐａｃｔ Ｄｉｓｃ ＲＯＭ）、磁気テープ、フロッピーディスク、光データ記憶デバイス等である。
【０１１３】
非一時的なコンピュータで読み取り可能な記憶媒体は、前記記憶媒体における指令がモバイル端末のプロセッサで実行されると、端末装置に、撮影パラメータ設定方法を実施させる。
【０１１４】
前記撮影パラメータ設定方法は、マスタ装置から送信され、且つ少なくとも出力色温度及び出力時間を含む撮影パラメータを受信するステップと、撮影パラメータに基づいて、自身のフラッシュ素子の撮影時の出力色温度及び出力時間を設定するステップとを含む。
【０１１５】
選択的に、上記方法は、さらに、マスタ装置から送信される撮影パラメータを受信するステップ前に、マスタ装置から送信される検出指令を受信し、検出指令に応じて現在の周囲環境の色温度を検出するステップと、検出した現在の周囲環境の色温度をマスタ装置にリターンするステップとを含む。
【０１１６】
本開示の実施例は、スレーブ装置に対して設定する撮影パラメータの出力色温度及び出力時間を取得することで、スレーブ装置のフラッシュ素子の出力色温度及び出力時間を制御する。これにより、複数な端末による撮影を行う場合、スレーブ装置が光を補助する時の出力色温度の正確性を高め、撮影画像の品質を向上させる。
【０１１７】
当業者は、本明細書に開示された発明の詳細を考慮して実施することにより、本発明の他の実施方案を容易に想定することができる。本出願は、本発明の任意の変形、用途、又は適応な変化を含むことを目的としており、これらの任意の変形、用途、又は適応な変化は、本発明の一般原理に基づき、且つ本開示において公開されていない本技術分野においての公知常識又は慣用技術手段を含む。明細書及び実施例は、例示的なものを開示しており、本発明の保護範囲及び主旨は、特許請求の範囲により示される。
【０１１８】
本発明は、上記において開示された構成又は図面に示した構造に限定されるものではなく、本発明の範囲内であれば、様々な補正又は変更を行うことができる。本発明の範囲は、特許請求の範囲により制限される。
【図１】
2016522636.tif 000003
【図２】
2016522636.tif 000004
【図３】
2016522636.tif 000005
【図４】
2016522636.tif 000006
【図５】
2016522636.tif 000007
【図６】
2016522636.tif 000008
【図７】
2016522636.tif 000009
【図８】
2016522636.tif 000010
【図９】
2016522636.tif 000011
【手続補正書】
【提出日】平成26年10月8日(2014.10.8)
【手続補正１】
【補正対象書類名】明細書
【補正対象項目名】全文
【補正方法】変更
【補正の内容】
【発明の詳細な説明】
【相互参照】
【０００１】
本願は、出願番号がＣＮ２０１４１０１６５５８７．１であって、出願日が２０１４年４月２３日である中国特許出願に基づき優先権を主張し、当該中国特許出願のすべての内容を本願に援用する。
【技術分野】
【０００２】
本開示は、端末技術分野に関し、特に、撮影パラメータ設定方法、撮影パラメータ設定装置、プログラム及び記録媒体に関する。
【背景技術】
【０００３】
端末技術の発展に伴い、スマート端末は、益々普及している。通常のスマート端末は、ユーザの様々な撮影ニーズに答えるように、カメラ及び光を補助するための色温度調整可能なフラッシュ素子を含む。
【０００４】
現在、２つ又は２つ以上のスマート端末が共同に撮影を行うことで、プロ撮影なりの採光を実現することができる新しい撮影方法がよく使用されている。１つのスマート端末がマスタ装置として撮影を行い、他のスマート端末がスレーブ装置として自装置の有するフラッシュ素子を起動することでマスタ装置に補助光を提供する。マスタ装置は、撮影する場合、先ず、現在の周囲環境の色温度に基づいて自装置のフラッシュ素子の出力色温度を調整し、予め確立された無線データリンクを介して各スレーブ装置に起動コマンドを送信する。この時、スレーブ装置は、フラッシュ素子を起動してマスタ装置に補助光を提供する。
【０００５】
本開示の発明者は、上記従来技術において、下記問題を抱えることを見出した。
【０００６】
スレーブ装置は、撮影を行わないため、マスタ装置から起動コマンドを受信した時、自装置の予め設定された出力色温度に基づいてフラッシュ素子の出力色温度を設定し、現在の周囲環境の色温度を考慮していない。そのため、光が複雑な場合、撮影された画像が現在の周囲環境の要求に合わず、撮影された画像の色が正確ではない問題を引き起こす。
【発明の概要】
【０００７】
従来技術における問題を解決するために、本開示の実施例は、撮影パラメータ設定方法、撮影パラメータ設定装置、プログラム及び記録媒体を提供する。以下では、本開示の方法について説明する。
【０００８】
本開示の実施例の第１方面による撮影パラメータ設定方法は、
現在設定の撮影モードに基づいて、色温度調整可能なフラッシュ素子を含むスレーブ装置に対して設定する、少なくとも出力色温度及び出力時間を含む撮影パラメータを取得するステップと、
前記スレーブ装置と予め確立された無線データリンクを介して、前記撮影パラメータを前記スレーブ装置に送信することで、前記スレーブ装置が前記撮影パラメータに基づいて前記スレーブ装置のフラッシュ素子の撮影時の出力色温度及び出力時間を設定するようにするステップと、を含む。
【０００９】
本開示の実施例の第２方面による撮影パラメータ設定方法は、
マスタ装置から送信され、且つ少なくとも出力色温度及び出力時間を含む撮影パラメータを受信するステップと、
前記撮影パラメータに基づいて、自装置のフラッシュ素子の撮影時の出力色温度及び出力時間を設定するステップと、を含む。
【００１０】
本開示の実施例の第３方面による撮影パラメータ設定装置は、
現在設定の撮影モードに基づいて、色温度調整可能なフラッシュ素子を含むスレーブ装置に対して設定する、少なくとも出力色温度及び出力時間を含む撮影パラメータを取得するための取得モジュールと、
前記スレーブ装置と予め確立された無線データリンクを介して、前記撮影パラメータを前記スレーブ装置に送信することで、前記スレーブ装置が前記撮影パラメータに基づいて前記スレーブ装置のフラッシュ素子の撮影時の出力色温度及び出力時間を設定するようにするための第１送信モジュールと、を備える。
【００１１】
本開示の実施例の第４方面による撮影パラメータ設定装置は、マスタ装置から送信され、且つ少なくとも出力色温度及び出力時間を含む撮影パラメータを受信するための第２受信モジュールと、
前記撮影パラメータに基づいて、自装置のフラッシュ素子の撮影時の出力色温度及び出力時間を設定するための設定モジュールと、を備える。
本発明の実施例の第５局面によるプログラムは、プロセッサに実行されることにより、前記撮影パラメータ設定方法を実現する。
本発明の実施例の第６局面による記録媒体は、前記プログラムを記録した。
【００１２】
本開示の実施例による技術方案は、以下の作用効果を奏する。
【００１３】
本開示において、スレーブ装置に対して設定する撮影パラメータの出力色温度及び出力時間を取得することで、スレーブ装置のフラッシュ素子の出力色温度及び出力時間を制御する。これにより、複数の端末による撮影を行う場合、スレーブ装置が光を補助する時の出力色温度の正確性を高め、撮影画像の品質を向上させる。
【００１４】
以上の一般的な記述及び以下の詳細な記述は、例示的なものに過ぎず、本開示を限定するものではないと理解すべきである。
【図面の簡単な説明】
【００１５】
ここでの図面は、明細書の一部分として明細書全体を構成することにより、本開示に合致する実施例を例示するとともに、本開示の原理を解釈するためのものである。
【００１６】
【図１】本開示の例示的な実施例に係る撮影パラメータ設定方法を例示的に示すフローチャートである。
【図２】本開示の例示的な実施例に係る撮影パラメータ設定方法を示すフローチャートである。
【図３】本開示の例示的な実施例に係る撮影パラメータ設定方法を示すフローチャートである。
【図４】本開示の例示的な実施例に係る撮影パラメータ設定方法を示すフローチャートである。
【図５】本開示の例示的な実施例に係る撮影パラメータ設定方法を示すフローチャートである。
【図６】本開示の例示的な実施例に係る撮影パラメータ設定装置の構成を示すブロック図である。
【図７】本開示の例示的な実施例に係る撮影パラメータ設定装置の構成を示すブロック図である。
【図８】本開示の例示的な実施例に係る端末の構成を示すブロック図である。
【図９】本開示の例示的な実施例に係る端末の構成を示すブロック図である。
【発明を実施するための形態】
【００１７】
以下、本開示の目的、技術方案及び利点をより明瞭にするために、実施形態と図面を参照しながら、本開示について更に詳しく説明する。
【００１８】
第１実施例
本開示の実施例は、撮影パラメータ設定方法を提供する。図１に示すように、撮影パラメータ設定方法は、下記ステップを含む。
【００１９】
ステップ１０１において、現在設定の撮影モードに基づいて、色温度調整可能なフラッシュ素子を含むスレーブ装置に対して設定する、少なくとも出力色温度及び出力時間を含む撮影パラメータを取得する。本実施例の方法は、端末に適用される。
【００２０】
ステップ１０２において、スレーブ装置と予め確立された無線データリンクを介して、撮影パラメータをスレーブ装置に送信し、スレーブ装置に撮影パラメータに基づいてスレーブ装置のフラッシュ素子の撮影時の出力色温度及び出力時間を設定させる。本実施例の方法は、端末に適用される。
【００２１】
本開示の実施例は、スレーブ装置に対して設定する撮影パラメータの出力色温度及び出力時間を取得することで、スレーブ装置のフラッシュ素子の出力色温度及び出力時間を制御する。これにより、複数な端末による撮影を行う場合、スレーブ装置が光を補助する時の出力色温度の正確性を高め、撮影画像の品質を向上させる。
【００２２】
第２実施例
本開示の実施例は、撮影パラメータ設定方法を提供する。図２に示すように、撮影パラメータ設定方法は、下記ステップを含む。
【００２３】
ステップ２０１において、マスタ装置から送信され、且つ少なくとも出力色温度及び出力時間を含む撮影パラメータを受信する。本実施例の方法は、端末に適用される。
【００２４】
ステップ２０２において、撮影パラメータに基づいて、自装置のフラッシュ素子の撮影時の出力色温度及び出力時間を設定する。本実施例の方法は、端末に適用される。
【００２５】
本開示の実施例は、スレーブ装置に対して設定する撮影パラメータの出力色温度及び出力時間を取得することで、スレーブ装置のフラッシュ素子の出力色温度及び出力時間を制御する。これにより、複数な端末による撮影を行う場合、スレーブ装置が光を補助する時の出力色温度の正確性を高め、撮影画像の品質を向上させる。
【００２６】
第３実施例
本開示の実施例は、撮影パラメータ設定方法を提供する。図３に示すように、撮影パラメータ設定方法は、下記ステップを含む。
【００２７】
ステップ３０１において、マスタ装置は、現在設定の撮影モードに基づいて、色温度調整可能なフラッシュ素子を含むスレーブ装置に対して設定する、少なくとも出力色温度及び出力時間を含む撮影パラメータを取得する。本実施例の方法は、端末に適用される。
【００２８】
当該ステップ３０１は、下記２つのステップにより完成できる。
【００２９】
ステップ３０１１において、現在設定の撮影モードが第１撮影モードであると、マスタ装置は、現在ユーザにより設定された第１色温度値及び現在設定のシャッター時間を取得する。本実施例の方法は、端末に適用される。
【００３０】
本実施例において、出力色温度の制御は、ユーザにより設定され、即ち第１撮影モードである。この撮影モードでは、マスタ装置が現在の周囲環境の色温度について検出を行わず、撮影過程においてユーザが手動で現時点の色温度値を設定することで、ユーザの創作ニーズを満足させる。
【００３１】
ユーザが色温度を設定する過程において、ユーザは、撮影画面における該当の選択項目を選択することでマスタ装置のフラッシュ素子の出力色温度を設定できる。本開示の実施例において、ユーザにより設定された出力色温度は、第１色温度値である。
【００３２】
さらに、現在設定のシャッター時間は、予め設定されたシャッター時間であってもよく、ユーザにより設定されたシャッター時間であってもよい。シャッター時間の取得は、様々な方法により行われてもよく、特定の方法に限定しない。
【００３３】
ステップ３０１２において、マスタ装置は、第１色温度値をスレーブ装置に対して設定するフラッシュ素子の出力色温度として決定し、シャッター時間をスレーブ装置に対して設定するフラッシュ素子の出力時間として決定する。本実施例の方法は、端末に適用される。
【００３４】
第１撮影モードにおいて、スレーブ装置に対して設定する撮影パラメータは、第１色温度値及び現在設定のシャッター時間を含み、スレーブ装置に次回撮影時のフラッシュ素子の出力色温度及び出力時間を設定させることができる。
【００３５】
ステップ３０２において、マスタ装置は、スレーブ装置と予め確立された無線データリンクを介して、撮影パラメータをスレーブ装置に送信することで、スレーブ装置に撮影パラメータに基づいて、スレーブ装置のフラッシュ素子の撮影時の出力色温度及び出力時間を設定させる。本実施例の方法は、端末に適用される。
【００３６】
マスタ装置とスレーブ装置は、無線信号発信機を内蔵し、無線通信を行う。マスタ装置は、撮影を行う前、予め当該無線信号発信機を介して各スレーブ装置と無線データリンクを確立する。選択的な無線接続方式は、Ｂｌｕｅｔｏｏｔｈ、ＷｉＦｉ（Ｗｉｒｅｌｅｓｓ−Ｆｉｄｅｌｉｔｙ，無線忠実）などを含むが、これらに限定されるものではない。
【００３７】
ステップ３０３において、スレーブ装置は、マスタ装置から送信され、且つ少なくとも出力色温度及び出力時間を含む撮影パラメータを受信する。本実施例の方法は、端末に適用される。
【００３８】
ステップ３０４において、スレーブ装置は、受信したパラメータに基づいて、自装置のフラッシュ素子の撮影時の出力色温度及び出力時間を設定する。本実施例の方法は、端末に適用される。
【００３９】
本開示の実施例は、スレーブ装置に対して設定する撮影パラメータの出力色温度及び出力時間を取得することで、スレーブ装置のフラッシュ素子の出力色温度及び出力時間を制御する。これにより、複数な端末による撮影を行う場合、スレーブ装置が光を補助する時の出力色温度の正確性を高め、撮影画像の品質を向上させる。
【００４０】
第４実施例
本開示の実施例は、撮影パラメータ設定方法を提供する。図４に示すように、撮影パラメータ設定方法は、下記ステップを含む。
【００４１】
ステップ４０１において、マスタ装置は、現在設定の撮影モードに基づいて、色温度調整可能なフラッシュ素子を含むスレーブ装置に対して設定する、少なくとも出力色温度及び出力時間を含む撮影パラメータを取得する。本実施例の方法は、端末に適用される。
【００４２】
ステップ４０１は、下記２つのステップにより完成できる。
【００４３】
ステップ４０１１において、現在設定の撮影モードが第２撮影モードであると、マスタ装置は、現在の周囲環境の色温度を検出することで第２色温度値を取得するとともに、現在設定のシャッター時間を取得する。本実施例の方法は、端末に適用される。
【００４４】
実施例において、出力色温度の制御は、マスタ装置により設定され、即ち第２撮影モードである。この撮影モードでは、マスタ装置は、自装置が有する光センサーにより現在の周囲環境の色温度を検出し、検出した現在の周囲環境の色温度、即ち第２色温度値をスレーブ装置に対して設定する出力色温度として決定する。
【００４５】
さらに、現在設定のシャッター時間は、予め設定されたシャッター時間であってもよく、ユーザにより設定されたシャッター時間であってもよい。シャッター時間の取得は、様々な方法により行われてもよく、特定の方法に限定しない。
【００４６】
ステップ４０１２において、マスタ装置は、第２色温度値をスレーブ装置に対して設定するフラッシュ素子の出力色温度として決定し、シャッター時間をスレーブ装置に対して設定するフラッシュ素子の出力時間として決定する。本実施例の方法は、端末に適用される。
【００４７】
ステップ４０２において、マスタ装置は、スレーブ装置と予め確立された無線データリンクを介して、撮影パラメータをスレーブ装置に送信することで、スレーブ装置に撮影パラメータに基づいて、スレーブ装置のフラッシュ素子の撮影時の出力色温度及び出力時間を設定させる。本実施例の方法は、端末に適用される。
【００４８】
マスタ装置とスレーブ装置は、無線信号発信機を内蔵し、無線通信を行う。マスタ装置は、撮影を行う前、予め当該無線信号発信機を介して各スレーブ装置と無線データリンクを確立する。選択的な無線接続方式は、Ｂｌｕｅｔｏｏｔｈ、ＷｉＦｉ  （Ｗｉｒｅｌｅｓｓ−Ｆｉｄｅｌｉｔｙ，無線忠実）などを含むが、これらに限定されるものではない。
【００４９】
ステップ４０３において、スレーブ装置は、マスタ装置から送信され、且つ少なくとも出力色温度及び出力時間を含む撮影パラメータを受信する。本実施例の方法は、端末に適用される。
【００５０】
ステップ４０４において、スレーブ装置は、受信したパラメータに基づいて、自装置のフラッシュ素子の撮影時の出力色温度及び出力時間を設定する。本実施例の方法は、端末に適用される。
【００５１】
本開示の実施例は、スレーブ装置に対して設定する撮影パラメータの出力色温度及び出力時間を取得することで、スレーブ装置のフラッシュ素子の出力色温度及び出力時間を制御する。これにより、複数な端末による撮影を行う場合、スレーブ装置が光を補助する時の出力色温度の正確性を高め、撮影画像の品質を向上させる。
【００５２】
第５実施例
本開示の実施例は、撮影パラメータ設定方法を提供する。図５に示すように、撮影パラメータ設定方法は、下記ステップを含む。
【００５３】
ステップ５０１において、マスタ装置は、スレーブ装置と予め確立した無線データリンクを介してスレーブ装置に検出指令を送信する。本実施例の方法は、端末に適用される。
【００５４】
マスタ装置とスレーブ装置は、無線信号発信機を内蔵し、無線通信を行う。マスタ装置は、撮影を行う前、予め当該無線信号発信機を介して各スレーブ装置と無線データリンクを確立する。選択的な無線接続方式は、Ｂｌｕｅｔｏｏｔｈ、ＷｉＦｉ  （Ｗｉｒｅｌｅｓｓ−Ｆｉｄｅｌｉｔｙ，無線忠実）などを含むが、これらに限定されるものではない。
【００５５】
ステップ５０２において、スレーブ装置は、マスタ装置から送信される検出指令を受信し、検出指令に基づいて、現在の周囲環境の色温度を検出する。本実施例の方法は、端末に適用される。
【００５６】
スレーブ装置は、自装置に含まれる光センサーにより現在の周囲環境の色温度を検出することで、第３色温度値として現在の周囲環境の色温度を取得する。
【００５７】
ステップ５０３において、スレーブ装置は、検出した現在の周囲環境の色温度をマスタ装置にリターンする。本実施例の方法は、端末に適用される。
【００５８】
ステップ５０４において、マスタ装置は、スレーブ装置が検出指令に応じて報告した第３色温度値を受信する。第３色温度値は、スレーブ装置が現在の周囲環境の色温度を検出することにより得られるものである。本実施例の方法は、端末に適用される。
【００５９】
ステップ５０５において、マスタ装置は、現在設定の撮影モードに基づいて、色温度調整可能なフラッシュ素子を含むスレーブ装置に対して設定する、少なくとも出力色温度及び出力時間を含む撮影パラメータを取得する。本実施例の方法は、端末に適用される。
【００６０】
ステップ５０５は、下記の２つのステップにより完成できる。
【００６１】
ステップ５０５１において、現在設定の撮影モードが第３撮影モードであると、マスタ装置は、現在設定のシャッター時間を取得する。本実施例の方法は、端末に適用される。
【００６２】
現在設定のシャッター時間は、予め設定されたシャッター時間であってもよく、ユーザにより設定されたシャッター時間であってもよい。シャッター時間の取得は、様々な方法により行われてもよく、特定の方法に限定しない。本実施例の方法は、端末に適用される。
【００６３】
ステップ５０５２において、マスタ装置は、第３色温度値をスレーブ装置のフラッシュ素子にたいして設定する出力色温度として決定し、シャッター時間をスレーブ装置に対して設定するフラッシュ素子の出力時間として決定する。
【００６４】
本開示実施例において、スレーブ装置が検出した現在の周囲環境の色温度、即ち第３色温度値を、スレーブ装置の撮影パラメータの色温度として設定する。
【００６５】
選択的に、撮影照明用のスレーブ装置が２つ又は２つ以上ある場合、採光場面において、異なるスレーブ装置は、異なる位置に配置される。従って、光の複雑な環境が存在するため、異なる位置にあるスレーブ装置は、異なる色温度を検出し、報告する色温度値も異なる。マスタ装置は、複数のスレーブ装置から報告された異なる色温度のバランスをとるために、報告された複数の第３温度値に対して加重平均法で計算し、第４色温度値を取得するとともに、この第４色温度値を各スレーブ装置に対して設定するフラッシュ素子の出力色温度として決定する。そのため、ステップ５０５２において、第３色温度値をスレーブ装置に対して設定するフラッシュ素子の出力色温度として決定するステップは、さらに、以下のようである。
【００６６】
２つ又は２つ以上のスレーブ装置が第３色温度値を報告する場合、各スレーブ装置が報告する第３色温度値により、平均値を算出して第４色温度値を取得し、第４色温度値を各スレーブ装置に対して設定するフラッシュ素子の出力色温度として決定する。
【００６７】
ステップ５０６において、マスタ装置は、スレーブ装置と予め確立された無線データリンクを介して、撮影パラメータをスレーブ装置に送信することで、スレーブ装置に撮影パラメータに基づいて、スレーブ装置のフラッシュ素子の撮影時の出力色温度及び出力時間を設定させる。本実施例の方法は、端末に適用される。
【００６８】
ステップ５０７において、スレーブ装置は、マスタ装置から送信され、且つ少なくとも出力色温度及び出力時間を含む撮影パラメータを受信する。本実施例の方法は、端末に適用される。
【００６９】
ステップ５０８において、スレーブ装置は、受信したパラメータに基づいて、自分のフラッシュ素子の撮影時の出力色温度及び出力時間を設定する。本実施例の方法は、端末に適用される。
【００７０】
本開示の実施例は、スレーブ装置に対して設定する撮影パラメータの出力色温度及び出力時間を取得することで、スレーブ装置のフラッシュ素子の出力色温度及び出力時間を制御する。これにより、複数な端末による撮影を行う場合、スレーブ装置が光を補助する時の出力色温度の正確性を高め、撮影画像の品質を向上させる。
【００７１】
第６実施例
本開示の実施例は、撮影パラメータ設定装置を提供する。図６に示すように、撮影パラメータ設定装置は、現在設定の撮影モードに基づいて、色温度調整可能なフラッシュ素子を含むスレーブ装置に対して設定する、少なくとも出力色温度及び出力時間を含む撮影パラメータを取得するための取得モジュール６０１と、スレーブ装置と予め確立された無線データリンクを介して、撮影パラメータをスレーブ装置に送信することで、スレーブ装置に撮影パラメータに基づいてスレーブ装置のフラッシュ素子の撮影時の出力色温度及び出力時間を設定させるための第１送信モジュール６０２と、を含む。
【００７２】
取得モジュール６０１は、現在設定の撮影モードが第１撮影モードであると、現在ユーザにより設定された第１色温度値及び現在設定のシャッター時間を取得する第１取得ユニットと、第１色温度値をスレーブ装置に対して設定するフラッシュ素子の出力色温度として決定し、シャッター時間をスレーブ装置に対して設定するフラッシュ素子の出力時間として決定するための第１設定ユニットを備える。
【００７３】
取得モジュール６０１は、さらに、現在設定の撮影モードが第２撮影モードであると、現在の周囲環境の色温度を検出することで第２色温度値を取得するとともに、現在設定のシャッター時間を取得するための第２取得ユニットと、第２色温度値をスレーブ装置に対して設定するフラッシュ素子の出力色温度として決定し、シャッター時間をスレーブ装置に対して設定するフラッシュ素子の出力時間として決定する第２設定ユニットを備える。
【００７４】
撮影パラメータ設定装置は、さらに、スレーブ装置と予め確立された無線データリンクを介してスレーブ装置に検出指令を送信するための第２送信モジュール６０３と、スレーブ装置が検出指令に応じて報告する、現在の周囲環境の色温度を検出することにより取得した第３色温度値を受信するための第１受信モジュール６０４を備える。
【００７５】
これに応じて、取得モジュール６０１は、現在設定の撮影モードが第３撮影モードであると、現在設定のシャッター時間を取得するための第３取得ユニットと、第３色温度値をスレーブ装置に対して設定するフラッシュ素子の出力色温度として決定し、シャッター時間をスレーブ装置に対して設定するフラッシュ素子の出力時間として決定するための第３設定ユニットとを備える。
【００７６】
第３設定ユニットは、２つ又は２つ以上のスレーブ装置が第３色温度値を報告する場合、各スレーブ装置が報告する第３色温度値の平均値を算出することで第４色温度値を取得し、第４色温度値を各スレーブ装置に対して設定するフラッシュ素子の出力色温度として決定するのに用いられる。
【００７７】
本開示の実施例は、スレーブ装置に対して設定する撮影パラメータの出力色温度及び出力時間を取得することで、スレーブ装置のフラッシュ素子の出力色温度及び出力時間を制御する。これにより、複数な端末による撮影を行う場合、スレーブ装置が光を補助する時の出力色温度の正確性を高め、撮影画像の品質を向上させる。
【００７８】
第７実施例
本開示の実施例は、撮影パラメータ設定装置を提供する。図７に示すように、撮影パラメータ設定装置は、マスタ装置から送信され、且つ少なくとも出力色温度及び出力時間を含む撮影パラメータを受信するための第２受信モジュール７０１と、撮影パラメータに基づいて、自身のフラッシュ素子の撮影時の出力色温度及び出力時間を設定するための設定モジュール７０２を備える。
【００７９】
撮影パラメータ設定装置は、さらに、マスタ装置から送信される検出指令を受信し、検出指令に応じて現在の周囲環境の色温度を検出するための第３受信モジュール７０３と、検出した現在の周囲環境の色温度をマスタ装置にリターンするリターンモジュール７０４を備える。
【００８０】
本開示の実施例は、スレーブ装置に対して設定する撮影パラメータの出力色温度及び出力時間を取得することで、スレーブ装置のフラッシュ素子の出力色温度及び出力時間を制御する。これにより、複数な端末による撮影を行う場合、スレーブ装置が光を補助する時の出力色温度の正確性を高め、撮影画像の品質を向上させる。
【００８１】
第８実施例
本開示の実施例は、端末装置を提供する。図８は、例示的な実施例による端末装置のブロック図である。例えば、端末装置８００は、携帯電話、コンピューター、デジタル放送端末、メッセージ送受信デバイス、ゲームコンソール、タブレットデバイス、医療機器、フィットネス機器、パーソナルデジタルアシスタント等であってもよい。
【００８２】
図８を参照して、端末装置８００は、プロセスアセンブリ８０２、メモリ８０４、電源アセンブリ８０６、マルチメディアアセンブリ８０８、オーディオアセンブリ８１０、入出力（Ｉ／Ｏ）インターフェイス８１２、センサアセンブリ８１４、及び通信アセンブリ８１６のような一つ以上のアセンブリを含んでよい。
【００８３】
プロセスアセンブリ８０２は、一般的には端末装置８００の全体の操作を制御するものであり、例えば、表示、電話呼び出し、データ通信、カメラ操作、及び記録操作と関連する操作を制御する。プロセスアセンブリ８０２は、一つ以上のプロセッサ８２０を含み、これらによって命令を実行することにより、上記の方法の全部、或は一部のステップを実現するようにしてもよい。なお、プロセスアセンブリ８０２は、一つ以上のモジュールを含み、これらによってプロセスアセンブリ８０２と他のアセンブリの間のインタラクションを容易にするようにしてもよい。例えば、プロセスアセンブリ８０２は、マルチメディアモジュールを含み、これらによってマルチメディアアセンブリ８０８とプロセスアセンブリ８０２の間のインタラクションを容易にするようにしてもよい。
【００８４】
メモリ８０４は、各種類のデータを記憶することにより端末装置８００の操作を支援するように構成される。これらのデータの例は、端末装置８００において操作されるいずれのアプリケーションプログラム又は方法の命令、連絡対象データ、電話帳データ、メッセージ、画像、ビデオ等を含む。メモリ８０４は、いずれの種類の揮発性メモリ、不揮発性メモリ記憶デバイスまたはそれらの組み合わせによって実現されてもよく、例えば、ＳＲＡＭ（ＳｔａｔｉｃＲａｎｄｏｍ Ａｃｃｅｓｓ Ｍｅｍｏｒｙ）ＥＥＰＲＯＭ（ＥｌｅｃｔｒｉｃａｌｌｙＥｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（ＰｒｏｇｒａｍｍａｂｌｅＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【００８５】
電源アセンブリ８０６は、端末装置８００の多様なアセンブリに電力を供給する。電源アセンブリ８０６は、電源管理システム、一つ以上の電源、及び端末装置８００のための電力の生成、管理及び割り当てに関連する他のアセンブリを含んでもよい。
【００８６】
マルチメディアアセンブリ８０８は、前記端末装置８００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記のタッチ、或はスライド操作に係る継続時間及び圧力も検出できる。上記の実施例において、マルチメディアアセンブリ８０８は、一つのフロントカメラ、及び／又はリアカメラを含む。端末装置８００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【００８７】
オーディオアセンブリ８１０は、オーディオ信号を入出力するように構成されてもよい。例えば、オーディオアセンブリ８１０は、一つのマイク（ＭＩＣ）を含み、端末装置８００が、例えば呼出しモード、記録モード、及び音声認識モード等の操作モードにある場合、マイクは外部のオーディオ信号を受信することができる。受信されたオーディオ信号は、さらにメモリ８０４に記憶されたり、通信アセンブリ８１６を介して送信されたりされる。上記の実施例において、オーディオアセンブリ８１０は、オーディオ信号を出力するための一つのスピーカーをさらに含む。
【００８８】
Ｉ／Ｏインターフェイス８１２は、プロセスアセンブリ８０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【００８９】
センサアセンブリ８１４は、端末装置８００に各方面の状態に対する評価を提供するための一つ以上のセンサを含む。例えば、センサアセンブリ８１４は、端末装置８００のＯＮ／ＯＦＦ状態、端末装置８００のディスプレイとキーパッドのようなアセンブリの相対的な位置決めを検出できる。また、例えば、センサアセンブリ８１４は、端末装置８００、或は端末装置８００の一つのアセンブリの位置変更、ユーザと端末装置８００とが接触しているか否か、端末装置８００の方位、又は加速／減速、端末装置８００の温度の変化を検出できる。センサアセンブリ８１４は、何れの物理的接触がない状態にて付近の物体の存在を検出するための近接センサを含んでもよい。センサアセンブリ８１４は、撮影アプリケーションに適用するため、ＣＭＯＳ、又はＣＣＤ図像センサのような光センサを含んでもよい。上記の実施例において、当該センサアセンブリ８１４は、加速度センサ、ジャイロスコープセンサ、磁気センサ、圧力センサ、及び温度センサをさらに含んでもよい。
【００９０】
通信アセンブリ８１６は、端末装置８００と他の機器の間に有線、又は无線形態の通信を提供する。端末装置８００は、例えばＷｉＦｉ、２Ｇ、３Ｇ、或はこれらの組み合わせのような、通信規格に基づいた无線ネットワークに接続されてもよい。一つの例示的な実施例において、通信アセンブリ８１６は、放送チャンネルを介して外部の放送管理システムからの放送信号、又は放送に関連する情報を受信する。一つの例示的な実施例において、前記通信アセンブリ８１６は、近距離無線通信（ＮＦＣ）モジュールをさらに含むことにより、近距離通信を推進するようにする。例えば、ＮＦＣモジュールは、ＲＦＩＤ（ＲａｄｉｏＦｒｅｑｕｅｎｃｙ ＩＤｅｎｔｉｆｉｃａｔｉｏｎ）技術、ＩｒＤＡ（ＩｎｆｒａｒｅｄＤａｔａ Ａｓｓｏｃｉａｔｉｏｎ）技術、ＵＷＢ（Ｕｌｔｒａ  Ｗｉｄｅ Ｂａｎｄ）技術、ＢＴ（Ｂｌｕｅｔｏｏｔｈ）技術、他の技術に基づいて実現できる。
【００９１】
例示的な実施例において、端末装置８００は、一つ以上のＡＳＩＣ（ＡｐｐｌｉｃａｔｉｏｎＳｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ ＰｒｏｃｅｓｓｉｎｇＤｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【００９２】
例示的な実施例において、さらに、命令を含む非一時的なコンピュータで読み取り可能な記憶媒体、例えば命令を含むメモリ８０４を提供しており、端末装置８００のプロセッサ８２０により上記命令を実行して上記方法を実現する。例えば、前記非一時的なコンピュータで読み取り可能な記憶媒体は、ＲＯＭ、ＲＡＭ（Ｒａｎｄｏｍ−ＡｃｃｅｓｓＭｅｍｏｒｙ）、ＣＤ−ＲＯＭ（Ｃｏｍｐａｃｔ Ｄｉｓｃ ＲＯＭ）、磁気テープ、フロッピーディスク、光データ記憶デバイス等である。
【００９３】
非一時的なコンピュータで読み取り可能な記憶媒体は、前記記憶媒体における指令がモバイル端末のプロセッサで実行されると、端末装置に、撮影パラメータ設定方法を実施させる。
【００９４】
前記撮影パラメータ設定方法は、現在設定の撮影モードに基づいて、色温度調整可能なフラッシュ素子を含むスレーブ装置に対して設定する、少なくとも出力色温度及び出力時間を含む撮影パラメータを取得するステップと、スレーブ装置と予め確立された無線データリンクを介して、撮影パラメータをスレーブ装置に送信することで、スレーブ装置が撮影パラメータに基づいて、スレーブ装置のフラッシュ素子の撮影時の出力色温度及び出力時間を設定するステップとを含む。
【００９５】
選択的に、現在設定の撮影モードに基づいて、スレーブ装置に対して設定する撮影パラメータを取得するステップは、現在設定の撮影モードが第１撮影モードであると、現在ユーザにより設定された第１色温度値及び現在設定のシャッター時間を取得するステップと、第１色温度値をスレーブ装置に対して設定するフラッシュ素子の出力色温度として決定し、シャッター時間をスレーブ装置に対して設定するフラッシュ素子の出力時間として決定するステップとを含む。
【００９６】
選択的に、現在設定の撮影モードに基づいて、スレーブ装置に対して設定する撮影パラメータを取得するステップは、現在設定の撮影モードが第２撮影モードであると、現在の周囲環境の色温度を検出することで第２色温度値を取得するとともに、現在設定のシャッター時間を取得するステップと、第２色温度値をスレーブ装置に対して設定するフラッシュ素子の出力色温度として決定し、シャッター時間をスレーブ装置に対して設定するフラッシュ素子の出力時間として決定するステップとを含む。
【００９７】
選択的に、上記方法は、現在設定の撮影モードに基づいて、スレーブ装置に対して設定する撮影パラメータを取得するステップ前に、さらに、スレーブ装置と予め確立された無線データリンクを介してスレーブ装置に検出指令を送信するステップと、スレーブ装置が検出指令に応じて報告する、現在の周囲環境の色温度を検出することにより取得した第３色温度値を受信するステップと、を含む。
【００９８】
選択的に、現在設定の撮影モードに基づいて、スレーブ装置に対して設定する撮影パラメータを取得するステップは、現在設定の撮影モードが第３撮影モードであると、現在設定のシャッター時間を取得するステップと、第３色温度値をスレーブ装置に対して設定するフラッシュ素子の出力色温度として決定し、シャッター時間をスレーブ装置に対して設定するフラッシュ素子の出力時間として決定するステップとを含む。
【００９９】
選択的に、第３色温度値をスレーブ装置に対して設定するフラッシュ素子の出力色温度として決定するステップは、２つ又は２つ以上のスレーブ装置が第３色温度値を報告する時、各スレーブ装置が報告する第３色温度値により平均値を算出することで第４色温度値を取得し、第４色温度値を各スレーブ装置に対して設定するフラッシュ素子の出力色温度として決定するステップを含む。
【０１００】
本開示の実施例は、スレーブ装置に対して設定する撮影パラメータの出力色温度及び出力時間を取得することで、スレーブ装置のフラッシュ素子の出力色温度及び出力時間を制御する。これにより、複数な端末による撮影を行う場合、スレーブ装置が光を補助する時の出力色温度の正確性を高め、撮影画像の品質を向上させる。
【０１０１】
第９実施例
本開示の実施例は、端末装置を提供する。図９は、例示的な実施例による端末装置のブロック図である。例えば、端末装置９００は、携帯電話、コンピューター、デジタル放送端末、メッセージ送受信デバイス、ゲームコンソール、タブレットデバイス、医療機器、フィットネス機器、パーソナルデジタルアシスタント等であってもよい。
【０１０２】
図９を参照して、端末装置９００は、プロセスアセンブリ９０２、メモリ９０４、電源アセンブリ９０６、マルチメディアアセンブリ９０８、オーディオアセンブリ９１０、入出力（Ｉ／Ｏ）インターフェイス９１２、センサアセンブリ９１４、及び通信アセンブリ９１６のような一つ以上のアセンブリを含んでよい。
【０１０３】
プロセスアセンブリ９０２は、一般的には端末装置９００の全体の操作を制御するものであり、例えば、表示、電話呼び出し、データ通信、カメラ操作、及び記録操作と関連する操作を制御する。プロセスアセンブリ９０２は、一つ以上のプロセッサ９２０を含み、これらによって命令を実行することにより、上記の方法の全部、或は一部のステップを実現するようにしてもよい。なお、プロセスアセンブリ９０２は、一つ以上のモジュールを含み、これらによってプロセスアセンブリ９０２と他のアセンブリの間のインタラクションを容易にするようにしてもよい。例えば、プロセスアセンブリ９０２は、マルチメディアモジュールを含み、これらによってマルチメディアアセンブリ９０８とプロセスアセンブリ９０２の間のインタラクションを容易にするようにしてもよい。
【０１０４】
メモリ９０４は、各種類のデータを記憶することにより端末装置９００の操作を支援するように構成される。これらのデータの例は、端末装置９００において操作されるいずれのアプリケーションプログラム又は方法の命令、連絡対象データ、電話帳データ、メッセージ、画像、ビデオ等を含む。メモリ９０４は、いずれの種類の揮発性メモリ、不揮発性メモリ記憶デバイスまたはそれらの組み合わせによって実現されてもよく、例えば、ＳＲＡＭ（Ｓｔａｔｉｃ Ｒａｎｄｏｍ Ａｃｃｅｓｓ Ｍｅｍｏｒｙ）ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【０１０５】
電源アセンブリ９０６は、端末装置９００の多様なアセンブリに電力を供給する。電源アセンブリ９０６は、電源管理システム、一つ以上の電源、及び端末装置９００のための電力の生成、管理及び割り当てに関連する他のアセンブリを含んでもよい。
【０１０６】
マルチメディアアセンブリ９０８は、前記端末装置９００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記のタッチ、或はスライド操作に係る継続時間及び圧力も検出できる。上記の実施例において、マルチメディアアセンブリ９０８は、一つのフロントカメラ、及び／又はリアカメラを含む。端末装置９００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０１０７】
オーディオアセンブリ９１０は、オーディオ信号を入出力するように構成されてもよい。例えば、オーディオアセンブリ９１０は、一つのマイク（ＭＩＣ）を含み、端末装置９００が、例えば呼出しモード、記録モード、及び音声認識モード等の操作モードにある場合、マイクは外部のオーディオ信号を受信することができる。受信されたオーディオ信号は、さらにメモリ９０４に記憶されたり、通信アセンブリ９１６を介して送信されたりされる。上記の実施例において、オーディオアセンブリ９１０は、オーディオ信号を出力するための一つのスピーカーをさらに含む。
【０１０８】
Ｉ／Ｏインターフェイス９１２は、プロセスアセンブリ９０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【０１０９】
センサアセンブリ９１４は、端末装置９００に各方面の状態に対する評価を提供するための一つ以上のセンサを含む。例えば、センサアセンブリ９１４は、端末装置９００のＯＮ／ＯＦＦ状態、端末装置９００のディスプレイとキーパッドのようなアセンブリの相対的な位置決めを検出できる。また、例えば、センサアセンブリ９１４は、端末装置９００、或は端末装置９００の一つのアセンブリの位置変更、ユーザと端末装置９００とが接触しているか否か、端末装置９００の方位、又は加速／減速、端末装置９００の温度の変化を検出できる。センサアセンブリ９１４は、何れの物理的接触がない状態にて付近の物体の存在を検出するための近接センサを含んでもよい。センサアセンブリ９１４は、撮影アプリケーションに適用するため、ＣＭＯＳ、又はＣＣＤ図像センサのような光センサを含んでもよい。上記の実施例において、当該センサアセンブリ９１４は、加速度センサ、ジャイロスコープセンサ、磁気センサ、圧力センサ、及び温度センサをさらに含んでもよい。
【０１１０】
通信アセンブリ９１６は、端末装置９００と他の機器の間に有線、又は无線形態の通信を提供する。端末装置９００は、例えばＷｉＦｉ、２Ｇ、３Ｇ、或はこれらの組み合わせのような、通信規格に基づいた无線ネットワークに接続されてもよい。一つの例示的な実施例において、通信アセンブリ９１６は、放送チャンネルを介して外部の放送管理システムからの放送信号、又は放送に関連する情報を受信する。一つの例示的な実施例において、前記通信アセンブリ９１６は、近距離無線通信（ＮＦＣ）モジュールをさらに含むことにより、近距離通信を推進するようにする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ）技術、他の技術に基づいて実現できる。
【０１１１】
例示的な実施例において、端末装置９００は、一つ以上のＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【０１１２】
例示的な実施例において、さらに、命令を含む非一時的なコンピュータで読み取り可能な記憶媒体、例えば命令を含むメモリ９０４を提供しており、端末装置９００のプロセッサ９２０により上記命令を実行して上記方法を実現する。例えば、前記非一時的なコンピュータで読み取り可能な記憶媒体は、ＲＯＭ、ＲＡＭ（Ｒａｎｄｏｍ−Ａｃｃｅｓｓ Ｍｅｍｏｒｙ）、ＣＤ−ＲＯＭ（Ｃｏｍｐａｃｔ Ｄｉｓｃ ＲＯＭ）、磁気テープ、フロッピーディスク、光データ記憶デバイス等である。
【０１１３】
非一時的なコンピュータで読み取り可能な記憶媒体は、前記記憶媒体における指令がモバイル端末のプロセッサで実行されると、端末装置に、撮影パラメータ設定方法を実施させる。
【０１１４】
前記撮影パラメータ設定方法は、マスタ装置から送信され、且つ少なくとも出力色温度及び出力時間を含む撮影パラメータを受信するステップと、撮影パラメータに基づいて、自身のフラッシュ素子の撮影時の出力色温度及び出力時間を設定するステップとを含む。
【０１１５】
選択的に、上記方法は、さらに、マスタ装置から送信される撮影パラメータを受信するステップ前に、マスタ装置から送信される検出指令を受信し、検出指令に応じて現在の周囲環境の色温度を検出するステップと、検出した現在の周囲環境の色温度をマスタ装置にリターンするステップとを含む。
【０１１６】
本開示の実施例は、スレーブ装置に対して設定する撮影パラメータの出力色温度及び出力時間を取得することで、スレーブ装置のフラッシュ素子の出力色温度及び出力時間を制御する。これにより、複数な端末による撮影を行う場合、スレーブ装置が光を補助する時の出力色温度の正確性を高め、撮影画像の品質を向上させる。
【０１１７】
当業者は、本明細書に開示された発明の詳細を考慮して実施することにより、本発明の他の実施方案を容易に想定することができる。本出願は、本発明の任意の変形、用途、又は適応な変化を含むことを目的としており、これらの任意の変形、用途、又は適応な変化は、本発明の一般原理に基づき、且つ本開示において公開されていない本技術分野においての公知常識又は慣用技術手段を含む。明細書及び実施例は、例示的なものを開示しており、本発明の保護範囲及び主旨は、特許請求の範囲により示される。
【０１１８】
本発明は、上記において開示された構成又は図面に示した構造に限定されるものではなく、本発明の範囲内であれば、様々な補正又は変更を行うことができる。本発明の範囲は、特許請求の範囲により制限される。
【手続補正２】
【補正対象書類名】特許請求の範囲
【補正対象項目名】全文
【補正方法】変更
【補正の内容】
【特許請求の範囲】
【請求項１】
現在設定の撮影モードに基づいて、色温度調整可能なフラッシュ素子を含むスレーブ装置に対して設定する、少なくとも出力色温度及び出力時間を含む撮影パラメータを取得するステップと、
前記スレーブ装置と予め確立された無線データリンクを介して、前記撮影パラメータを前記スレーブ装置に送信することで、前記スレーブ装置が前記撮影パラメータに基づいて前記スレーブ装置のフラッシュ素子の撮影時の出力色温度及び出力時間を設定するようにするステップと、を含む
ことを特徴とする撮影パラメータ設定方法。
【請求項２】
前記現在設定の撮影モードに基づいて、スレーブ装置に対して設定する撮影パラメータを取得するステップは、
現在設定の撮影モードが第１撮影モードであると、現在ユーザにより設定された第１色温度値及び現在設定のシャッター時間を取得するステップと、
前記第１色温度値を前記スレーブ装置に対して設定するフラッシュ素子の出力色温度として決定し、前記シャッター時間を前記スレーブ装置に対して設定するフラッシュ素子の出力時間として決定するステップと、を含む
ことを特徴とする請求項１に記載の方法。
【請求項３】
前記現在設定の撮影モードに基づいて、スレーブ装置に対して設定する撮影パラメータを取得するステップは、
現在設定の撮影モードが第２撮影モードであると、現在の周囲環境の色温度を検出することで第２色温度値を取得するとともに、現在設定のシャッター時間を取得するステップと、
前記第２色温度値を前記スレーブ装置に対して設定するフラッシュ素子の出力色温度として決定し、前記シャッター時間を前記スレーブ装置に対して設定するフラッシュ素子の出力時間として決定するステップと、を含む
ことを特徴とする請求項１に記載の方法。
【請求項４】
前記現在設定の撮影モードに基づいて、スレーブ装置に対して設定する撮影パラメータを取得するステップの前に、さらに、
スレーブ装置と予め確立された無線データリンクを介してスレーブ装置に検出指令を送信するステップと、
前記スレーブ装置が前記検出指令に応じて報告する、当該スレーブ装置が現在の周囲環境の色温度を検出することにより取得した第３色温度値を受信するステップと、を含む
ことを特徴とする請求項１に記載の方法。
【請求項５】
前記現在設定の撮影モードに基づいて、スレーブ装置に対して設定する撮影パラメータを取得するステップは、
現在設定の撮影モードが第３撮影モードであると、現在設定のシャッター時間を取得するステップと、
前記第３色温度値を前記スレーブ装置に対して設定するフラッシュ素子の出力色温度として決定し、前記シャッター時間を前記スレーブ装置に対して設定するフラッシュ素子の出力時間として決定するステップと、を含む
ことを特徴とする請求項４に記載の方法。
【請求項６】
前記第３色温度値を前記スレーブ装置に対して設定するフラッシュ素子の出力色温度として決定するステップは、
２つ又は２つ以上のスレーブ装置が前記第３色温度値を報告する場合、各スレーブ装置が報告する第３色温度値により平均値を算出することで第４色温度値を取得し、前記第４色温度値を前記各スレーブ装置に対して設定するフラッシュ素子の出力色温度として決定するステップを含む
ことを特徴とする請求項５に記載の方法。
【請求項７】
マスタ装置から送信され、且つ少なくとも出力色温度及び出力時間を含む撮影パラメータを受信するステップと、
前記撮影パラメータに基づいて、自装置のフラッシュ素子の撮影時の出力色温度及び出力時間を設定するステップと、を含む
ことを特徴とする撮影パラメータ設定方法。
【請求項８】
さらに、前記マスタ装置から送信される撮影パラメータを受信するステップの前に、
マスタ装置から送信される検出指令を受信し、前記検出指令に応じて現在の周囲環境の色温度を検出するステップと、
検出した前記現在の周囲環境の色温度を前記マスタ装置にリターンするステップと、を含む
ことを特徴とする請求項７に記載の方法。
【請求項９】
現在設定の撮影モードに基づいて、色温度調整可能なフラッシュ素子を含むスレーブ装置に対して設定する、少なくとも出力色温度及び出力時間を含む撮影パラメータを取得するための取得モジュールと、
前記スレーブ装置と予め確立された無線データリンクを介して、前記撮影パラメータを前記スレーブ装置に送信することで、前記スレーブ装置が前記撮影パラメータに基づいて前記スレーブ装置のフラッシュ素子の撮影時の出力色温度及び出力時間を設定するようにするための第１送信モジュールと、を備える
ことを特徴とする撮影パラメータ設定装置。
【請求項１０】
前記取得モジュールは、
現在設定の撮影モードが第１撮影モードであると、現在ユーザにより設定された第１色温度値及び現在設定のシャッター時間を取得するための第１取得ユニットと、
前記第１色温度値を前記スレーブ装置に対して設定するフラッシュ素子の出力色温度として決定し、前記シャッター時間を前記スレーブ装置に対して設定するフラッシュ素子の出力時間として決定するための第１設定ユニットと、を備える
ことを特徴とする請求項９に記載の装置。
【請求項１１】
前記取得モジュールは、
現在設定の撮影モードが第２撮影モードであると、現在の周囲環境の色温度を検出することで第２色温度値を取得するとともに、現在設定のシャッター時間を取得するための第２取得ユニットと、
前記第２色温度値を前記スレーブ装置に対して設定するフラッシュ素子の出力色温度として決定し、前記シャッター時間を前記スレーブ装置に対して設定するフラッシュ素子の出力時間として決定するための第２設定ユニットと、を備える
ことを特徴とする請求項９に記載の装置。
【請求項１２】
さらに、スレーブ装置と予め確立された無線データリンクを介してスレーブ装置に検出指令を送信するための第２送信モジュールと、
前記スレーブ装置が前記検出指令に応じて報告する、現在の周囲環境の色温度を検出することにより取得した第３色温度値を受信するための第１受信モジュールと、を備える
ことを特徴とする請求項９に記載の装置。
【請求項１３】
前記取得モジュールは、
現在設定の撮影モードが第３撮影モードであると、現在設定のシャッター時間を取得するための第３取得ユニットと、
前記第３色温度値を前記スレーブ装置に対して設定するフラッシュ素子の出力色温度として決定し、前記シャッター時間を前記スレーブ装置に対して設定するフラッシュ素子の出力時間として決定するための第３設定ユニットと、を備える
ことを特徴とする請求項１２に記載の装置。
【請求項１４】
前記第３設定ユニットは、
２つ又は２つ以上のスレーブ装置が前記第３色温度値を報告する場合、各スレーブ装置が報告する第３色温度値により、平均値を算出することで第４色温度値を取得し、前記第４色温度値を前記各スレーブ装置に対して設定するフラッシュ素子の出力色温度として決定する
ことを特徴とする請求項１３に記載の装置。
【請求項１５】
マスタ装置から送信され、且つ少なくとも出力色温度及び出力時間を含む撮影パラメータを受信するための第２受信モジュールと、
前記撮影パラメータに基づいて、自装置のフラッシュ素子の撮影時の出力色温度及び出力時間を設定するための設定モジュールと、を備える
ことを特徴とする撮影パラメータ設定装置。
【請求項１６】
さらに、
マスタ装置から送信される検出指令を受信し、前記検出指令に応じて現在の周囲環境の色温度を検出するための第３受信モジュールと、
検出した前記現在の周囲環境の色温度を前記マスタ装置にリターンするためのリターンモジュールと、を備える
ことを特徴とする請求項１５に記載の装置。
【請求項１７】
プロセッサに実行されることにより、請求項１乃至８のいずれか１項に記載の撮影パラメータ設定方法を実現することを特徴とするプログラム。
【請求項１８】
請求項１７に記載のプログラムが記録された記録媒体。
【国際調査報告】
2016522636.tif 000012
2016522636.tif 000013
2016522636.tif 000014
2016522636.tif 000015